【手続補正書】
【提出日】平成24年10月22日(2012.10.22)
【手続補正１】
【補正対象書類名】明細書
【補正対象項目名】００４２
【補正方法】変更
【補正の内容】
【００４２】
「特許請求の範囲」に規定するような本発明の範囲から逸脱することなく、上述の構造、組成物、及び方法を様々に変化させることができるが、上述の説明に含まれる、又は添付図面に示される全ての事項は例証として解釈されるものであって、限定的な意味で解釈されるものではない。
本発明はまた、以下の内容を包含する。
（１）第１の主表面及び第２の主表面を有する裏材層を含む創傷ドレッシングであって、前記裏材層の少なくとも一部分が少なくとも約７０マイクロメートルの厚さを有する、創傷ドレッシングと、
前記裏材層の前記第１の主表面の少なくとも一部分上の接着層と、
前記裏材層の前記第２の主表面に取り外し可能に取り付けられたドレッシング支持層であって、前記裏材層の少なくとも一部分と重なるタブ部分を有するドレッシング支持層とを含む、創傷ドレッシング及び供給システム。
（２）前記ドレッシングが吸収性パッドを更に含む、項目（１）に記載の創傷ドレッシング及び供給システム。
（３）前記支持層が、前記吸収性パッドの一部分と重なる前記第２の主表面の一部分に取り外し可能に取り付けられた、項目（２）に記載の創傷ドレッシング及び供給システム。
（４）前記タブ部分が、前記裏材層に取り付けられていない、項目（１）〜（３）のいずれか一項に記載の創傷ドレッシング。
（５）（ａ）
第１の主表面及び第２の主表面を有する裏材層であって、前記裏材層の少なくとも一部分が少なくとも約７０マイクロメートルの厚さを有する裏材層と、前記裏材層の前記第１の主表面の少なくとも一部分上の接着層とを含む創傷ドレッシング、
前記裏材層の前記第１の主表面の少なくとも一部分上に配置される吸収性材料、及び
前記裏材層の前記第２の主表面に取り外し可能に取り付けられたドレッシング支持層であって、前記裏材層の少なくとも一部分と重なるタブ部分を有するドレッシング支持層を含む、創傷ドレッシング及び供給システムを提供する工程と、
（ｂ）前記ドレッシング支持層の前記タブ部分を把持することによって、創傷上に前記創傷ドレッシングを位置付ける工程と、
（ｃ）前記創傷ドレッシングを適用する工程とを含む、創傷ドレッシングを創傷に適用する方法。
（６）前記創傷ドレッシングが、吸収性パッドと、前記吸収性パッドの一部分と重なる前記裏材の一部分に取り外し可能に取り付けられた支持層とを更に含む、項目（５）に記載の方法。
（７）第１の主表面及び第２の主表面を有する裏材層を含む創傷ドレッシングと、
前記裏材層の前記第１の主表面の少なくとも一部分上の接着層と、
前記裏材層の前記第２の主表面に取り外し可能に取り付けられたドレッシング支持層であって、タブ部分及び端部を有するドレッシング支持層とを含む、創傷ドレッシング及び供給システムであって、
前記タブ部分が、前記創傷ドレッシングの中央部に近接する前記裏材層の少なくとも一部分と重なり、前記端部が前記裏材層の外辺部の一部分のみに延在する、創傷ドレッシング及び供給システム。
（８）第１の主表面及び第２の主表面を有する裏材層を含む創傷ドレッシングと、
前記裏材層の前記第１の主表面の少なくとも一部分の上の接着層と、
前記裏材層の前記第２の主表面に取り外し可能に取り付けられたドレッシング支持層であって、タブ部分及び端部を有するドレッシング支持層とを含む、創傷ドレッシング及び供給システムであって、
前記タブ部分が、前記創傷ドレッシングの中央部に近接する前記裏材層の少なくとも一部分と重なり、前記端部が前記裏材層の外辺部に延在しない、創傷ドレッシング及び供給システム。
（９）前記ドレッシングが吸収性パッドを更に含む、項目（７）又は（８）に記載の創傷ドレッシング及び供給システム。
（１０）前記支持層が、前記吸収性パッドの一部分と重なる前記裏材層の前記第２の主表面の一部分に取り外し可能に取り付けられた、項目（９）に記載の創傷ドレッシング及び供給システム。
（１１）前記端部が、前記裏材層の外辺部の４０％未満を被覆する、項目（７）に記載の創傷ドレッシング。
（１２）創傷ドレッシングを創傷に適用する方法であって、
（ａ）
第１の主表面及び第２の主表面を有する裏材層と、前記裏材層の前記第１の主表面の少なくとも一部分上の接着層とを含む創傷ドレッシング、
前記裏材層の前記第１の主表面の少なくとも一部分上に配置される吸収性材料、及び
前記裏材層の前記第２の主表面に取り外し可能に取り付けられたドレッシング支持層であって、前記ドレッシング支持層がタブ部分及び端部を有し、前記タブ部分が、前記創傷ドレッシングの中央部に近接する前記裏材層の少なくとも一部分と重なり、前記端部が前記裏材層の外辺部の一部分のみに延在する、ドレッシング支持層を含む、創傷ドレッシング及び供給システムを提供する工程と、
（ｂ）前記ドレッシング支持層の前記タブ部分を把持することによって創傷の上に前記創傷ドレッシングを位置付ける工程と、
（ｃ）前記創傷ドレッシングを適用する工程とを含む、創傷ドレッシングを創傷に適用する方法。
（１３）前記創傷ドレッシングが、吸収性パッドを更に含み、前記支持層が、前記吸収性パッドの一部分に重なる前記裏材層の一部分に取り外し可能に取り付けられている、項目（１２）に記載の方法。
【手続補正２】
【補正対象書類名】特許請求の範囲
【補正対象項目名】全文
【補正方法】変更
【補正の内容】
【特許請求の範囲】
【請求項１】
第１の主表面及び第２の主表面を有する裏材層を含む創傷ドレッシングであって、前記裏材層の少なくとも一部分が少なくとも約７０マイクロメートルの厚さを有する、創傷ドレッシングと、
前記裏材層の前記第１の主表面の少なくとも一部分上の接着層と、
前記裏材層の前記第２の主表面に取り外し可能に取り付けられたドレッシング支持層であって、前記裏材層の少なくとも一部分と重なるタブ部分を有するドレッシング支持層と、
吸収性パッドとを含む、創傷ドレッシング及び供給システム。
【請求項２】
（ａ）
第１の主表面及び第２の主表面を有する裏材層であって、前記裏材層の少なくとも一部分が少なくとも約７０マイクロメートルの厚さを有する裏材層と、前記裏材層の前記第１の主表面の少なくとも一部分上の接着層とを含む創傷ドレッシング、
前記裏材層の前記第１の主表面の少なくとも一部分上に配置される吸収性材料、及び
前記裏材層の前記第２の主表面に取り外し可能に取り付けられたドレッシング支持層であって、前記裏材層の少なくとも一部分と重なるタブ部分を有するドレッシング支持層を含む、創傷ドレッシング及び供給システムを提供する工程と、
（ｂ）前記ドレッシング支持層の前記タブ部分を把持することによって、創傷上に前記創傷ドレッシングを位置付ける工程と、
（ｃ）前記創傷ドレッシングを適用する工程とを含む、創傷ドレッシングを創傷に適用する方法。
【請求項３】
第１の主表面及び第２の主表面を有する裏材層を含む創傷ドレッシングと、
前記裏材層の前記第１の主表面の少なくとも一部分上の接着層と、
前記裏材層の前記第２の主表面に取り外し可能に取り付けられたドレッシング支持層であって、タブ部分及び端部を有するドレッシング支持層と、
吸収性パッドとを含む、創傷ドレッシング及び供給システムであって、
前記タブ部分が、前記創傷ドレッシングの中央部に近接する前記裏材層の少なくとも一部分と重なり、前記端部が前記裏材層の外辺部の一部分のみに延在する、創傷ドレッシング及び供給システム。
【請求項４】
第１の主表面及び第２の主表面を有する裏材層を含む創傷ドレッシングと、
前記裏材層の前記第１の主表面の少なくとも一部分の上の接着層と、
前記裏材層の前記第２の主表面に取り外し可能に取り付けられたドレッシング支持層であって、タブ部分及び端部を有するドレッシング支持層と、
吸収性パッドとを含む、創傷ドレッシング及び供給システムであって、
前記タブ部分が、前記創傷ドレッシングの中央部に近接する前記裏材層の少なくとも一部分と重なり、前記端部が前記裏材層の外辺部に延在しない、創傷ドレッシング及び供給システム。
【請求項５】
創傷ドレッシングを創傷に適用する方法であって、
（ａ）
第１の主表面及び第２の主表面を有する裏材層と、前記裏材層の前記第１の主表面の少なくとも一部分上の接着層とを含む創傷ドレッシング、
前記裏材層の前記第１の主表面の少なくとも一部分上に配置される吸収性材料、及び
前記裏材層の前記第２の主表面に取り外し可能に取り付けられたドレッシング支持層であって、前記ドレッシング支持層がタブ部分及び端部を有し、前記タブ部分が、前記創傷ドレッシングの中央部に近接する前記裏材層の少なくとも一部分と重なり、前記端部が前記裏材層の外辺部の一部分のみに延在する、ドレッシング支持層を含む、創傷ドレッシング及び供給システムを提供する工程と、
（ｂ）前記ドレッシング支持層の前記タブ部分を把持することによって創傷の上に前記創傷ドレッシングを位置付ける工程と、
（ｃ）前記創傷ドレッシングを適用する工程とを含む、創傷ドレッシングを創傷に適用する方法。